(57)【要約】【課題】  配膳時に医療従事者が患者毎にコンピュータが設置されている場所まで配膳情報を確認しに行く手間をかけることなく、食事の配膳を必要とする患者を容易に把握することができるようにしつつ、配膳を完了したことを示す情報を患者一人一人に対して配膳後に入力する手間をかけることなく、食事が配膳されていない患者について食事の配膳を必要とするのか食事の配膳を必要としないのかを医療従事者が容易に区別することができるようにすることを目的とする。【解決手段】  配膳時に病室毎に設置されている廊下灯用表示部３３に食事の配膳を必要とする患者の氏名と他の患者の氏名と区別して表示する。タッチパネル部３４が操作されると、該当する病室の配膳が完了したことを示す完了情報を付加する。配膳後にタッチパネル部３４が操作されていない病室の患者の中から食事の配膳を必要とする患者の患者名情報を取得する。【選択図】        図１
2009006067.tif 000002
【特許請求の範囲】
【請求項１】
患者の氏名を示す患者名情報と前記患者に食事を配膳する必要があるか否かを示す配膳情報と前記患者の病室を示す病室情報とを互いに紐付けて記憶する記憶部と、
前記病室毎に設置され、食事の配膳を必要とする患者の患者名情報と食事の配膳を必要としない患者の患者名情報とを区別して表示する表示部と、
前記病室毎に設置され、この病室について配膳を行ったときに操作するための操作部と、
食事を配膳するときに食事の配膳を必要とする患者を確認する配膳モードと食事の配膳を必要とする患者に食事が配膳されたか否かを確認する確認モードとを設定する動作モード設定部と、
前記動作モード設定部が前記配膳モードに設定されている場合に動作し、前記配膳情報が患者に食事を配膳するとなっている患者の患者名情報および病室情報を前記記憶部から取得し、取得した病室情報に対応する病室に設置されている表示部に取得した患者名情報を他の患者名情報と区別して表示するとともに、前記取得した病室情報に対応する病室に設置されている操作部が操作された場合に、当該病室の配膳が完了したことを示す完了情報を前記病室情報に紐付けて前記記憶部に記憶する配膳モード制御部と、
前記動作モード設定部が前記確認モードに設定されている場合に動作し、前記完了情報が完了となっていない病室情報を前記記憶部から取得し、取得した前記病室情報に対応する患者名情報の中から前記配膳情報が患者に食事を配膳するとなっている患者の患者名情報を取得する確認モード制御部と、
を具備することを特徴とするナースコールシステム。
【請求項２】
患者の氏名を示す患者名情報と前記患者に食事を配膳する必要があるか否かを示す配膳情報と前記患者の病室を示す病室情報とを互いに紐付けて記憶する記憶部と、
前記病室毎に設置され、食事の配膳を必要とする患者の患者名情報と食事の配膳を必要としない患者の患者名情報とを区別して表示する表示部と、
前記病室毎に設置され、この病室について配膳を行うときに操作されて、前記食事の配膳を必要とする患者の患者名情報と前記食事の配膳を必要としない患者の患者名情報とを区別して前記表示部に表示させるための操作部と、
食事を配膳するときに食事の配膳を必要とする患者を確認する配膳モードと食事の配膳を必要とする患者に食事が配膳されたか否かを確認する確認モードとを設定する動作モード設定部と、
前記動作モード設定部が前記配膳モードに設定されている場合に動作し、前記操作部が操作された場合に、この操作部が設置されている病室を示す病室情報に対応する患者名情報の中から前記配膳情報が患者に食事を配膳するとなっている患者の患者名情報を取得し、取得した病室情報に対応する病室に設置されている表示部に取得した患者名情報を他の患者名情報と区別して表示するとともに、当該病室の配膳が完了したことを示す完了情報を前記病室情報に紐付けて前記記憶部に記憶する配膳モード制御部と、
前記動作モード設定部が前記確認モードに設定されている場合に動作し、前記完了情報が完了となっていない病室情報を前記記憶部から取得し、取得した前記病室情報に対応する患者名情報の中から前記配膳情報が患者に食事を配膳するとなっている患者の患者名情報を取得する確認モード制御部と、
を具備することを特徴とするナースコールシステム。
【発明の詳細な説明】
【技術分野】
【０００１】
本発明は、病院などで患者からの要求に応じて看護師などの医療従事者を呼び出すナースコールシステムに関する。
【背景技術】
【０００２】
従来、ナースコールシステムでは、病室内の患者の近辺（例えば、ベッド近傍など）に設置されたナースコール子機および医療従事者のいる部屋（例えば、スタッフルームなど）に設置されたナースコール親機を有線や無線などにより接続している。
【０００３】
さらに近年、ナースコール親機と患者の看護計画や看護実績を示す情報が格納されたコンピュータとを連動したナースコールシステムが開発されている（例えば、特許文献１、２を参照）。このようなナースコールシステムを使用することにより、医療従事者は、ナースコール親機にて情報を閲覧することができる。特許文献１および特許文献２に記載のナースコール装置では、該当する患者への食事制限などの患者情報を閲覧できるようにしている。
【特許文献１】特開２００４−１９５００６号公報
【特許文献２】特開２００４−２０１１１４号公報
【０００４】
ところで、患者が摂取する食事について、配膳を必要とする場合と配膳を必要としない場合とがある。さらに、配膳を必要としない場合は、患者が自力で食事を取りに行くケースと禁食を行うケースとがある。また、食事の配膳を必要とする場合は、医療従事者が配膳を行う。配膳を行う場合、医療従事者は、食事の配膳を必要とする患者と禁食などにより食事の配膳を必要としない患者とを区別し、食事の配膳を必要とする患者へ食事を配膳する。このような区別を確実に行うためには、医療従事者は、患者へ食事の配膳を必要とするか否かを示す配膳情報を確認する必要がある。医療従事者は、例えばコンピュータに記憶されている配膳情報を確認することにより、食事の配膳を必要とする患者と禁食などにより食事の配膳を必要としない患者とを区別することができる。ここで、配膳とは、医療従事者が患者に食事を提供することである。また、禁食とは、患者が検査や手術を受けるため、または患者の容体などにより食事を絶つことである。
【０００５】
しかしながら、コンピュータを使用して配膳情報を管理した場合、配膳時には、医療従事者は、患者の配膳情報を知るために、コンピュータが設置されている場所まで行って配膳情報を患者毎に確認する必要があった。そのため、医療従事者は、各患者に対して、食事の配膳を必要とするのか、食事の配膳を必要としないのかを容易に区別することができないという問題があった。また、配膳後には、医療従事者は、食事の配膳を必要とする患者へ食事を配膳したか否かを示す配膳状況を知るために、配膳が完了したことを示す情報を患者一人一人に対してコンピュータに入力して、入力した内容を配膳状況としてコンピュータの画面などに出力する必要があった。このように、配膳情報を患者毎に確認すること、配膳が完了したことを示す情報を患者一人一人に対して配膳後に入力することは、医療従事者にとって手間がかかってしまうという問題があった。
【０００６】
また、医療従事者は、多忙であることが多いため、配膳が完了したことを示す情報を患者一人一人に対して配膳後に入力することは困難であり、配膳が完了したことを示す情報を入力し忘れるケースが生じてしまうという問題があった。このように、配膳が完了したことを示す情報を入力し忘れると、食事の配膳が完了しているのに食事が配膳されていない配膳状況となるケースが生じてしまい、医療従事者は、食事が配膳されていない患者について、配膳が完了したことを示す情報を入力し忘れた患者であるのか、もともと食事を配膳する必要のない患者であるのかを正確に区別することができなくなってしまうという問題があった。また、食事を配膳する必要のない患者の中には、禁食を行っている患者もいる。禁食を行っている患者には食事を配膳してはいけないケースが多いため、禁食を行っている患者に配慮すると、医療従事者は、食事が配膳されていない全ての患者に対して食事を配膳することができない。このことから、食事の配膳を必要とする患者に対して食事が配膳されていないケースが生じてしまうという問題があった。また、食事が配膳されていない患者一人一人に対して禁食の有無を確認することは、時間がかかってしまうという問題があった。
【発明の開示】
【発明が解決しようとする課題】
【０００７】
本発明は、このような問題を解決するために成されたものであり、配膳時に、医療従事者が患者毎にコンピュータが設置されている場所まで配膳情報を確認しに行く手間をかけることなく、食事の配膳を必要とする患者を容易に把握することができるようにしつつ、配膳が完了したことを示す情報を患者一人一人に対して配膳後に入力する手間をかけることなく、食事が配膳されていない患者について食事の配膳を必要とするのか、食事の配膳を必要としないのかを医療従事者が容易に区別することができるようにすることを目的とする。
【０００８】
また、本発明の他の課題としては、配膳が完了したことを示す情報の入力を医療従事者が手間をかけずに行うことができるようにすることを目的とする。
【課題を解決するための手段】
【０００９】
上述した課題を解決するために、本発明のナースコールシステムでは、医療従事者が配膳を行う際には、病室毎に設置されている表示部に食事の配膳を必要とする患者の氏名を他の患者の氏名と区別して表示する。この状態で、病室毎に設置されている操作部が操作されると、その操作部が設置されている病室の食事の配膳を必要とする患者に対して食事の配膳が完了したことを示す完了情報を付加するようにしている。また、医療従事者が配膳状況を確認する際には、操作部が操作されていない病室の患者の中から食事を配膳すべき患者の患者名情報を取得するようにしている。
【００１０】
また、本発明の他の態様によれば、医療従事者が配膳を行う際に、操作部が操作されると、その操作部が設置されている病室の食事の配膳を必要とする患者の氏名をこの病室に設置されている表示部に他の患者の氏名と区別して表示する。そして、この操作部が設置されている病室の食事の配膳を必要とする患者に対して食事の配膳が完了したことを示す完了情報を付加するようにしている。また、医療従事者が配膳状況を確認する際には、操作部が操作されていない病室の患者の中から食事を配膳すべき患者の患者名情報を取得するようにしている。
【発明の効果】
【００１１】
上記のように構成した本発明によれば、医療従事者が配膳を行う際には、食事の配膳を必要とする患者の氏名が食事の配膳を必要としない患者の氏名と区別して病室毎に備えられている表示部に表示される。これにより、医療従事者は、患者毎にコンピュータが設置されている場所まで配置情報を確認しに行く手間をかけることなく、病室毎に備えられている表示部を見るだけで、食事の配膳を必要とする患者を容易に把握することができる。また、病室毎に設置されている操作部を操作するだけで、その病室の食事の配膳を必要とする患者への配膳が完了したことを示す完了情報が入力されるので、配膳が完了したことを示す完了情報を患者一人一人に対して配膳後に入力する手間をかける必要がなくなる。また、医療従事者が配膳状況を確認する際には、食事を配膳する必要があるのに、配膳が完了となっていない患者の氏名が抽出される。このように抽出された患者の氏名をナースコール親機などの画面に表示することにより、食事が配膳されていない患者について、食事を配膳すべきであるか、食事を配膳すべきではないのかを容易に区別することができる。従って、医療従事者は、ナースコール親機の画面などに表示された患者に配膳を行うことで、食事を配膳すべき患者に対して食事が配膳される可能性を高くすることができる。
【００１２】
また、本発明の他の態様によれば、医療従事者が配膳を行う際に、操作部を操作するだけで、食事の配膳を必要とする患者の氏名と食事の配膳を必要としない患者の氏名とが区別して表示されるとともに、その病室の食事の配膳を必要とする患者に対して、食事の配膳が完了したことを示す完了情報が入力される。これにより、配膳を完了したことを示す完了情報の入力を医療従事者が手間をかけずに行うことができる。従って、医療従事者が完了情報の入力を忘れにくくなり、食事の配膳が完了しているのに食事が配膳されていない配膳状況となるケースを生じにくくすることができる。そのため、医療従事者は、食事を配膳されていない患者について、配膳が完了したことを示す完了情報を入力し忘れた患者であるのか、もともと食事を配膳する必要のない患者であるのかを正確に区別することができ、医療従事者は、禁食を行っている患者に配慮することなく、食事が配膳されていない患者の中から食事を配膳すべき患者を容易に特定することができる。これにより、食事を配膳すべき患者に対して食事が配膳されていないケースを生じにくくすることができる。
【発明を実施するための最良の形態】
【００１３】
以下、本発明の一実施形態を図面に基づいて説明する。本実施形態によるナースコールシステムのブロック図を図１に示す。同図に示すように、本実施形態によるナースコールシステムは、ナースコール子機１０、ナースコール親機２０、廊下灯３０、携帯通信端末４０を備えて構成されている。
【００１４】
また、ナースコール子機１０は、図示しない子機用制御部、呼出操作部、子機用インタフェース（以下、Ｉ／Ｆとする）部を備えている。また、ナースコール親機２０は、親機用制御部２１、記憶部２２、動作モード設定部２３、配膳モード制御部２４、確認モード制御部２５、親機用表示部２６、親機用インタフェース（以下、Ｉ／Ｆとする）部２７を備えている。また、廊下灯３０は、廊下灯用制御部３１、報知部３２、廊下灯用表示部３３（特許請求の範囲の表示部に該当する）、タッチパネル部３４（特許請求の範囲の操作部に該当する）、廊下灯用インタフェース（以下、Ｉ／Ｆとする）部３５を備えている。また、携帯通信端末４０は、端末用制御部４１、端末用表示部４２、端末用インタフェース（以下、Ｉ／Ｆとする）部４３を備えている。
【００１５】
図１において、ナースコール子機１０は、病室内の患者の近辺（例えば、ベッド近傍など）に設置されており、伝送線を介してナースコール親機２０および携帯通信端末４０に接続されている。また、患者が呼出操作部を操作すると、ナースコール子機１０は、呼び出しを報知するための呼出信号をナースコール親機２０に送信する。ここで、ナースコール子機１０の構造やナースコール子機１０による呼出信号の送信処理は、周知の技術を用いる。また、ナースコール親機２０は、医療従事者のいる部屋（例えば、スタッフルームなど）に設置されており、患者からの呼び出しに応答するためのものである。ここで、ナースコール親機２０には、複数のナースコール子機１０が接続されている。また、廊下灯３０は、各病室の入口付近に設置され、病室内の病床を利用する患者の氏名を表示するものであり、ナースコール子機１０とナースコール親機２０との間に設置されている。また、ナースコール親機２０には、複数の携帯通信端末４０が接続されている。ここで、携帯通信端末４０は、医療従事者により携行され、患者からの呼び出しを報知し、医療従事者がこれに応答するためのものであり、図示しない無線基地局を介してナースコール親機２０に接続されている。
【００１６】
親機用制御部２１は、ナースコール親機２０の各構成要素を後述するように制御する。記憶部２２は、患者名を示す患者名情報と患者に食事を配膳する必要があるか否かを示す配膳情報と患者の病室を示す病室情報とを互いに紐付けて記憶する。また、記憶部２２は、図２に示すように、Ｎｏ．領域２０１、病室番号領域２０２、患者名領域２０３、配膳領域２０４、完了領域２０５を持っている。ここで、各項目領域２０１〜２０５は、互いに紐付けられている。病室番号領域２０２には、患者の病室番号を示す病室情報が格納される。患者名領域２０３には、患者の氏名を示す患者名情報が格納される。配膳領域２０４には、患者に食事を配膳する必要があるか否かを示す配膳情報が格納される。完了領域２０５には、食事の配膳が完了したことを示す完了情報が格納される。ここで、食事を配膳する必要がある患者の配膳情報の値は、「要」となっている。一方、食事を配膳する必要がない患者の配膳情報の値は、「不要」となっている。また、食事の配膳が完了した患者の完了情報の値は、「完了」となっている。一方、食事の配膳が完了していない患者の完了情報の値は、「未完了」となっている。
【００１７】
動作モード設定部２３は、食事を配膳するときに食事の配膳を必要とする患者を確認する配膳モードと食事を配膳した後に食事の配膳を必要とする患者に食事が配膳されたか否かを確認する確認モードとを設定する。医療従事者が配膳を行う際には、動作モード設定部２３が配膳モードに設定され、親機用制御部２１は、配膳モード制御部２４を動作させる。一方、医療従事者が配膳状況を確認する際には、動作モード設定部２３が確認モードに設定され、親機用制御部２１は、確認モード制御部２５を動作させる。また、医療従事者は、図示しない親機用操作部を操作することにより、動作モード設定部２３の設定を行う。
【００１８】
配膳モード制御部２４は、動作モード設定部２３が配膳モードに設定されている場合に動作する。配膳モード制御部２４は、記憶部２２を参照し、配膳情報が「要」となっている患者の患者名情報と病室情報とを取得する。配膳モード制御部２４は、取得した病室情報に含まれる病室番号に対応する病室に設置されている廊下灯３０へ取得した患者名情報を送信する。送信された患者名情報は、後述する廊下灯用表示部３３に他の患者名情報と区別して表示される。これらの患者の氏名を参照することにより、医療従事者は、食事を配膳する必要がある患者を把握することができる。
【００１９】
また、配膳モード制御部２４が廊下灯３０へ患者名情報を送信すると、配膳モード制御部２４は、廊下灯３０から送信された操作信号を図示しない親機用受信部にて受信したか否かの判定を行う。ここで、操作信号とは、廊下灯３０のタッチパネル部３４が操作されたことを示す信号のことである。操作信号には、送信元の廊下灯３０が設置されている病室を示す病室情報が含まれている。親機用受信部が操作信号を受信したと配膳モード制御部２４にて判断した場合には、配膳モード制御部２４は、操作信号に含まれる病室情報を取得する。配膳モード制御部２４は、取得した病室情報に対応する病室情報を記憶部２２から取得する。配膳モード制御部２４は、記憶部２２から病室情報を取得すると、病室情報に対応する患者名情報の中から配膳情報が「要」となっている患者の完了情報に「完了」と値を付加する。このように、完了情報が「完了」となった病室の患者は、配膳が完了したことになる。
【００２０】
確認モード制御部２５は、動作モード設定部２３が確認モードに設定されている場合に動作する。確認モード制御部２５は、記憶部２２を参照し、完了情報が「完了」となっていない病室情報を取得する。確認モード制御部２５は、記憶部２２から病室情報を取得すると、病室情報に対応する患者名情報の中から配膳情報が「要」となっている患者名情報を取得する。確認モード制御部２５は、親機用表示部２６や端末用表示部４２に取得した患者名情報を表示させる。そして、確認モード制御部２５は、取得した病室情報に含まれる病室番号に対応する病室に設置されている廊下灯３０へ取得した患者名情報を送信する。送信された患者名情報は、食事を配膳する必要があるのに、配膳が完了となっていない患者として送信先の廊下灯３０の廊下灯用表示部３３に表示される。このように、確認モード制御部２５は、食事を配膳する必要があるのに、配膳が完了となっていない患者の氏名を抽出する。抽出された患者の氏名を親機用表示部２６や端末用表示部４２に表示することにより、医療従事者は、配膳すべき患者に対して食事が配膳されているか否かを容易に区別することができる。
【００２１】
親機用表示部２６は、動作モード設定部２３が確認モードに設定されているとき、食事を配膳する必要があるのに、配膳が完了となっていない患者の氏名を表示するものであり、表示ディスプレイなどにより構成されている。親機用Ｉ／Ｆ部２７は、ナースコール親機２０が廊下灯３０および携帯通信端末４０との間で通信するために、廊下灯用Ｉ／Ｆ部３５および端末用Ｉ／Ｆ部４３に接続されている。また、親機用Ｉ／Ｆ部２７は、ナースコール親機２０がナースコール子機１０との間で通信するために、廊下灯用Ｉ／Ｆ部３５を介して図示しない子機用Ｉ／Ｆ部に接続されている。
【００２２】
廊下灯用制御部３１は、廊下灯３０の各構成要素を後述するように制御する。報知部３２は、点灯または点滅することで呼び出しを示す表示灯により構成されている。廊下灯用表示部３３は、廊下灯３０が設置されている病室の患者の氏名を表示するものであり、表示ディスプレイなどにより構成されている。また、廊下灯用表示部３３は、患者が使用するベッドの配置に合わせて表示領域を区切り、各表示領域内に患者の氏名を表示する。
【００２３】
図３（ａ）に示すように、配膳モードになっている廊下灯３０において、記憶部２２の配膳領域２０４に「要」が格納されている患者の氏名は、廊下灯用表示部３３に表示される。一方、記憶部２２の配膳領域２０４に「不要」が格納されている患者の氏名は、廊下灯用表示部３３に表示されない。また、表示されない患者の氏名の表示領域に対応する背景色は、表示される患者の氏名の表示領域に対応する背景色と反転して廊下灯用表示部３３に表示される。
【００２４】
タッチパネル部３４は、廊下灯用表示部３３の表面に取り付けられている。また、タッチパネル部３４は、パネル表面に指が触れる（タッチされる）と、検知したことを示す検知信号を廊下灯用制御部３１へ送信する。
【００２５】
廊下灯用Ｉ／Ｆ部３５は、廊下灯３０がナースコール子機１０およびナースコール親機２０との間で通信するために、図示しない子機用Ｉ／Ｆ部および親機用Ｉ／Ｆ部２７に接続されている。
【００２６】
動作モード設定部２３が配膳モードに設定されている場合には、廊下灯用制御部３１は、ナースコール親機２０から送信された食事の配膳を必要とする患者の患者名情報を廊下灯用Ｉ／Ｆ部３５により受信する。廊下灯用制御部３１は、受信した患者名情報を廊下灯用表示部３３に表示する。その際、廊下灯用制御部３１は、受信した患者名情報以外の患者名情報を表示しない。これにより、廊下灯用制御部３１は、食事の配膳を必要とする患者の氏名と食事の配膳を必要としない患者の氏名とを区別して表示することができる。
【００２７】
医療従事者が廊下灯用表示部３３に区別して表示されている食事の配膳を必要とする患者の氏名と食事の配膳を必要としない患者の氏名を参照し、表示された患者へ食事を配膳すると、医療従事者は、タッチパネル部３４をタッチする。廊下灯用制御部３１は、タッチパネル部３４がタッチされたか否かの判定を行う（すなわち、廊下灯用制御部３１は、タッチパネル部３４から検知信号を受信したか否かの判断を行う）。医療従事者によりタッチパネル部３４がタッチされていないと廊下灯用制御部３１にて判断した場合には、廊下灯用制御部３１は、タッチパネル部３４がタッチされる、または配膳モードが終了するまで処理を継続する。一方、医療従事者によりタッチパネル部３４がタッチされたと廊下灯用制御部３１にて判断した場合には、廊下灯用制御部３１は、タッチパネル部３４が操作されたことを示す操作信号を生成する。操作信号を生成する際、廊下灯用制御部３１は、自機が設置されている病室を示す病室情報を含ませる。廊下灯用制御部３１は、ナースコール親機２０へ生成した操作信号を廊下灯用Ｉ／Ｆ部３５により送信する。廊下灯用制御部３１が操作信号を送信すると、廊下灯用制御部３１は、廊下灯用表示部３３の表示を消す。
【００２８】
また、動作モード設定部２３が確認モードに設定されている場合には、廊下灯用制御部３１は、食事を配膳する必要があるのに、配膳が完了となっていない患者の患者名情報をナースコール親機２０から廊下灯用Ｉ／Ｆ部３５により受信する。廊下灯用制御部３１は、廊下灯用表示部３３に受信した患者名情報を表示する。
【００２９】
図３（ｂ）に示すように、確認モードになっている廊下灯３０において、記憶部２２の完了領域２０５に「完了」が格納されていない病室の中から配膳領域２０４に「要」が格納されている患者の氏名を廊下灯用表示部３３に表示する。さらに、医療従事者が廊下灯用表示部３３の表示に気づくよう、廊下灯用制御部３１は、報知部３２を点灯または点滅させて報知を行う。
【００３０】
端末用制御部４１は、携帯通信端末４０の各構成要素を後述するように制御する。端末用表示部４２は、親機用表示部２６と同様に、ナースコール親機２０の動作モード設定部２３が確認モードに設定されているとき、食事を配膳する必要があるのに、配膳が完了となっていない患者の氏名を表示するものであり、小型の表示ディスプレイなどにより構成されている。端末用Ｉ／Ｆ部４３は、携帯通信端末４０がナースコール親機２０との間で通信するために、親機用Ｉ／Ｆ部２７に接続されている。
【００３１】
以上詳しく説明したように、本実施形態のナースコールシステムは、医療従事者が配膳を行う際には、食事の配膳を必要とする患者の患者名情報と食事の配膳を必要としない患者の患者名情報とを廊下灯用表示部３３に区別して表示する。また、医療従事者によりタッチパネル部３４がタッチされた場合には、タッチパネル部３４が操作されたことを示す操作信号を送信した廊下灯３０が設置されている病室の配膳が完了したことを示す完了情報を付加する。これにより、医療従事者は、患者毎に設置されている場所まで配置情報を確認しに行く手間をかけることなく、廊下灯用表示部３３を見るだけで、食事の配膳を必要とする患者を容易に把握することができる。また、病室毎にタッチパネル部３４をタッチするだけで、その病室の食事の配膳を必要とする患者への配膳が完了したことを示す完了情報が入力されるので、配膳が完了したことを示す情報を患者一人一人に対して配膳後に入力する手間をかける必要がなくなる。
【００３２】
また、医療従事者が配膳状況を確認する際には、確認モード制御部２５は、記憶部２２を参照し、完了情報が完了となっていない病室情報を取得し、取得した病室情報に対応する患者名情報の中から食事の配膳を必要とする患者の患者名情報を取得する。このように取得した患者名情報を親機用表示部２６や端末用表示部４２に表示することにより、食事が配膳されていない患者について、食事を配膳する必要があるのか否かを容易に区別することができる。従って、医療従事者は、ナースコール親機の画面などに表示された患者に配膳を行うことで、食事を配膳すべき患者に対して食事が配膳される可能性を高くすることができる。
【００３３】
なお、前述した実施形態では、動作モード設定部２３が配膳モードに設定されている場合に、廊下灯用制御部３１は、食事の配膳を必要とする患者の氏名を表示し、食事の配膳を必要としない患者の氏名を表示しないようにすることで、食事の配膳を必要とする患者と食事の配膳を必要としない患者とを区別して表示するようにしているが、これに限定されない。例えば、食事の配膳を必要とする患者の氏名の近傍に「食事配膳」などの文字や食事の配膳を必要とすることを示す記号を表示するようにしても良い。これにより、医療従事者は、食事の配膳を必要とする患者だけでなく、食事の配膳を必要としない患者についても視認することができる。
【００３４】
また、このような場合において、患者の氏名の近傍に「食事配膳」などの文字や食事の配膳を必要とすることを示す記号を表示する代わりに、食事の配膳を必要とする患者の氏名の表示色と食事の配膳を必要としない患者の氏名の表示色とを異ならせるようにしても良い。また、食事の配膳を必要とする患者の氏名を濃く表示し、食事の配膳を必要としない患者の氏名を薄く表示するようにして、食事の配膳を必要とする患者の氏名を強調して表示するようにしても良い。また、食事の配膳を必要とする患者の氏名、または、食事の配膳を必要としない患者の氏名を点滅して表示するようにしても良い。また、食事の配膳を必要とする患者の氏名を太字で表示し、食事の配膳を必要としない患者の氏名を細字で表示するようにしても良い。また、食事の配膳を必要とする患者の氏名、または、食事の配膳を必要としない患者の氏名に下線を付けて表示するようにしても良い。また、これらの表示方法を組み合わせて、食事の配膳を必要とする患者の氏名と食事の配膳を必要としない患者の氏名とを区別して表示するようにしても良い。
【００３５】
また、前述した実施形態では、廊下灯用表示部３３に表示された患者へ食事を配膳した後に、医療従事者がタッチパネル部３４をタッチすることで、配膳が完了したことを示す完了情報を記憶部２２に記憶するようにしているがこれに限定されない。例えば、医療従事者が食事を配膳する際には、廊下灯用表示部３３の表示を消した状態としておき、医療従事者がタッチパネル部３４をタッチすると、配膳モード制御部２４は、そのタッチパネル部３４が設置されている病室の食事の配膳を必要とする患者の氏名をこの病室に設置されている廊下灯用表示部３３に他の患者の氏名と区別して表示させるとともに、このタッチパネル部３４が設置されている病室の食事の配膳を必要とする患者に対して食事の配膳が完了したことを示す完了情報を記憶部２２に記憶させるようにしても良い。
【００３６】
具体的には、医療従事者が配膳を行う際には、動作モード設定部２３が配膳モードに設定され、廊下灯用表示部３３の表示が消える。医療従事者が食事の配膳を必要とする患者を確認するためにタッチパネル部３４をタッチすると、このタッチパネル部３４を取り付けた廊下灯３０の廊下灯用制御部３１は、操作信号を生成して、ナースコール親機２０へ送信する。ナースコール親機２０が操作信号を受信したと親機用制御部２１にて判断した場合には、配膳モード制御部２４は、操作信号に含まれる病室情報を取得する。配膳モード制御部２４は、取得した病室情報に対応する患者名情報を記憶部２２から取得する。配膳モード制御部２４は、取得した患者名情報の中から配膳情報が「要」となっている患者の患者名情報を取得し、操作信号を送信した廊下灯３０へ送信する。これに併せて、配膳モード制御部２４は、取得した病室情報に対応する病室情報を記憶部２２から取得し、値を「完了」とした完了情報と取得した病室情報とを互いに紐付けて記憶部２２に記憶する。廊下灯用制御部３１は、ナースコール親機２０から送信された食事を配膳すべき患者の患者名情報を受信する。廊下灯用制御部３１は、受信した患者名情報を廊下灯用表示部３３に表示する。
【００３７】
これにより、医療従事者がタッチパネル部３４にタッチをするだけで、食事の配膳を必要とする患者を廊下灯用表示部３３に表示するとともに、タッチされたタッチパネル部３４が取り付けられた廊下灯３０が設置されている病室の患者の完了情報に「完了」を付加するので、配膳が完了したことを示す完了情報の入力を医療従事者が手間をかけずに行うことができる。従って、医療従事者が完了情報の入力を忘れにくくなり、食事の配膳が完了しているのに食事が配膳されていない配膳状況となるケースを生じにくくすることができる。そのため、医療従事者は、食事を配膳されていない患者について、配膳が完了したことを示す完了情報を入力し忘れた患者であるのか、もともと食事を配膳する必要のない患者であるのかを正確に区別することができ、医療従事者は、禁食を行っている患者に配慮することなく、食事が配膳されていない患者の中から食事を配膳すべき患者を容易に特定することができる。これにより、食事を配膳すべき患者に対して食事が配膳されていないというケースが生じにくくすることができる。
【００３８】
また、本変形例では、食事の配膳が必要な患者を確認するためには、タッチパネル部３４をタッチしなければならないので、食事の配膳が必要な患者を確認するだけで完了情報を入力することができる。これにより、医療従事者が完了情報の入力を忘れにくくなる。
【００３９】
また、前述した実施形態では、廊下灯用表示部３３の表面に備えたタッチパネル部３４を操作することで完了情報を入力するようにしているがこれに限定されない。例えば、廊下灯３０、または廊下灯３０の近傍に、一つの病室に対し一つの操作用ボタンを設けて、医療従事者がこの操作用ボタンを操作することで完了情報を入力するようにしても良い。
【００４０】
また、前述した実施形態では、配膳モード制御部２４は、タッチされたタッチパネル部３４が設置されている病室の病室情報に対応する患者名情報を記憶部２２から取得し、取得した患者名情報の中から配膳情報が「要」となっている患者の完了情報を取得し、取得した完了情報に「完了」を付加するようにしているがこれに限定されない。例えば、配膳モード制御部２４は、タッチされたタッチパネル部３４が設置されている病室の病室情報を記憶部２２から取得し、値を「完了」とした完了情報と取得した病室情報とを互いに紐付けて記憶部２２に記憶するようにしても良い。
【００４１】
また、前述した実施形態では、確認モード制御部２５は、記憶部２２を参照し、完了情報が「完了」となっていない病室情報を取得し、取得した病室情報に対応している患者名情報の中から配膳情報が「要」となっている患者名情報を取得するようにしているがこれに限定されない。例えば、確認モード制御部２５は、記憶部２２を参照し、配膳情報が「要」となっている患者名情報を取得し、取得した患者名情報の中から完了情報が「完了」となっていない患者名情報を取得するようにしても良い。
【図面の簡単な説明】
【００４２】
【図１】本実施形態のナースコールシステムのブロック図である。
【図２】記憶部の構成例を示す説明図である。
【図３】廊下灯の表示例を示す説明図である。
【符号の説明】
【００４３】
１０    ナースコール子機
２０    ナースコール親機
２１    親機用制御部
２２    記憶部
２３    動作モード設定部
２４    配膳モード制御部
２５    確認モード制御部
２６    親機用表示部
２７    親機用インタフェース（Ｉ／Ｆ）部
３０    廊下灯
３１    廊下灯用制御部
３２    報知部
３３    廊下灯用表示部
３４    タッチパネル部
３５    廊下灯用インタフェース（Ｉ／Ｆ）部
４０    携帯通信端末
４１    端末用制御部
４２    端末用表示部
４３    端末用インタフェース（Ｉ／Ｆ）部
２０１  Ｎｏ．領域
２０２  病室番号領域
２０３  患者名領域
２０４  配膳領域
２０５  完了領域
【図１】
2009006067.tif 000003
【図２】
2009006067.tif 000004
【図３】
2009006067.tif 000005